(57)【要約】【課題】親機と、その親機に無線接続され、かつ親機により充電される無線子機とを有し、充電電流又は電圧の有無によりオンフック及びオフフックを検出する電話機において、充電を停止しても子機がオフフックされたと判断されないようにする。【解決手段】親機に無線子機を載置すると、互いに接触する端子を介して、親機の給電部の出力電圧が無線子機の充電部へ加わる。充電部は無線子機の制御部により、充電動作の制御が行われる。親機は主装置から着信鳴動指示を受けると、子機に対して充電停止指示を送信するとともに（ステップＳ12）、着信音鳴動を行う（ステップＳ13）。子機は、充電停止指示を受信すると、充電を強制的に停止する（ステップＳ14）。充電停止中も給電部の出力電圧は充電部へ加えられているので、オフフックされたと判断されない。【選択図】  図５
2005287263.tif 000002
【特許請求の範囲】
【請求項１】
親機と、その親機に無線接続され、かつその親機により充電される無線子機とを有し、充電電流又は電圧の有無によりオンフック及びオフフックを検出する電話機において、前記親機は、前記子機に充電用電力を供給する給電手段を備え、前記子機は、電源と、前記給電手段から供給される電力により前記電源を充電する充電手段と、前記親機又は子機の消費電流とその閾値との大小関係に基づいて前記充電手段の制御を行う制御手段とを備えたことを特徴とする電話装置。
【請求項２】
前記親機は、前記消費電流が前記閾値より大きいことを判定する判定手段と、前記判定手段の出力に基づいて、前記無線子機に対して前記充電手段による充電を停止する指令を通知する手段とを備えたことを特徴とする請求項１記載の電話装置。
【発明の詳細な説明】
【技術分野】
【０００１】
本発明は、親機と、その親機に無線接続される無線子機とを有する電話装置に関し、特に親機が無線子機を充電するように構成された電話装置に関する。
【背景技術】
【０００２】
外線に接続された主装置と、主装置に収容された複数のボタン電話機とからなるボタン電話装置において、ボタン電話機を、親機と、その親機に無線接続される無線子機とで構成したコードレスボタン電話機がある（特許文献１参照）。
【０００３】
このコードレスボタン電話機では、無線子機は使用していない時は親機に載置するように構成されている。また、主装置は親機に対してデータ線を介して電源電力を供給し、親機は無線子機に対して、子機が載置されているときに互いに接触する端子を介して、無線子機内のバッテリーを充電するように構成されている。ここで、主装置から親機に供給される電力は、主装置の電源容量、及び電源供給用トランスの電源容量により制限を受けるので、親機は着信時のように消費電流が大きくなる状態を検出したときに、無線子機に対する充電電流を無線子機が載置されているか否かを判断するために必要な最小限の電流値に制限している。また、必要な最小限の電流が流れなくなったことを検知した場合に子機がオフフックされたと判断する。このように充電電流を制限することで、コードレスボタン電話機の最大消費電流を低減できる。
【特許文献１】特開平５−２９２００５公報
【発明の開示】
【発明が解決しようとする課題】
【０００４】
しかしながら、前述したコードレス電話機では、消費電流をより低減するために充電を停止するように構成すると、充電電流がなくなることで、親機は子機がオフフックされたと判断し、外線捕捉を行ってしまうという問題点があった。
【０００５】
本発明はこのような問題点を解決するためになされたもので、親機と、その親機に無線接続され、かつ親機により充電される無線子機とを有し、充電電流又は電圧の有無によりオンフック及びオフフックを検出する電話機において、充電を停止しても子機がオフフックされたと判断されないようにすることを目的とする。
【課題を解決するための手段】
【０００６】
請求項１に係る発明は、親機と、その親機に無線接続され、かつその親機により充電される無線子機とを有し、充電電流又は電圧の有無によりオンフック及びオフフックを検出する電話機において、前記親機は、前記子機に充電用電力を供給する給電手段を備え、前記子機は、電源と、前記給電手段から供給される電力により前記電源を充電する充電手段と、前記親機又は子機の消費電流とその閾値との大小関係に基づいて前記充電手段の制御を行う制御手段とを備えたことを特徴とする電話装置である。
請求項２に係る発明は、請求項１に係る電話装置において、前記親機は、前記消費電流が前記閾値より大きいことを検出する手段と、前記検出手段の検出出力に基づいて、前記無線子機に対して前記充電手段による充電を停止する指令を通知する手段とを備えたことを特徴とする電話装置である。
【発明の効果】
【０００７】
本発明によれば、充電手段の制御（充電実行及び停止）を子機側で行うので、充電を停止しても子機がオフフックされたと判断する事態を防止することができる
【発明を実施するための最良の形態】
【０００８】
以下、図面を参照しながら本発明の実施形態について説明する。
図１は本発明をボタン電話装置に適用した実施形態を示すブロック図である。
【０００９】
このボタン電話装置は、１本以上の電話回線（局線）４に接続された主装置１と、内線伝送路２を介して主装置１に接続されたＮ個（Ｎ≧２）のボタン電話機3-1 〜3-N とから構成されている。ボタン電話機3-1 〜3-N は、それぞれ親機30-1〜30-Nと、無線子機50-1〜50-Nとから構成されている。ボタン電話機3-1 の親機30-1と無線子機50-1とは対をなしており、互いの親子間通信が可能となるように予め設定されている。同様に、ボタン電話機3-2 ・・・3-N の親子の間も対をなしており、互いの親子間通信が可能となるように予め設定されている。これらの親子間通信は、予め設定された親子間のみ可能であり、他の親又は子と通信することは出来ない。すなわち、例えばボタン電話機3-1 の親機30-1は子機50-1とだけ通信可能であり、他の子機とは通信不可能である。また、子機50-1は親機30-1とだけ通信可能であり、他の親機とは通信不可能である。他のボタン電話機3-2 〜3-N についても同様である。
【００１０】
主装置１は、電話回線４及びボタン電話機3-1 〜3-N の状態を管理し、この主装置１全体の制御等を行う制御部11と、電話回線４を終端制御する外線インターフェース部12と、内線伝送路２を介してボタン電話機3-1 〜3-N を収容する内線インターフェース部13と、外線インターフェース部12と内線インターフェース部13とを交換接続する交換処理部14と、制御部11での制御に必要な各種制御情報、外線情報及び内線情報を関連付けて記憶する記憶部15とを備えている。内線伝送路２は通話呼出線21及びデータ線22を有し、各ボタン電話機3-1 〜3-N を動作させるための電力は、主装置１の内線インターフェース部１３からデータ線22を介して各ボタン電話機3-1 〜3-N に供給される。なお、主装置１には商用交流電源等から電力が供給される。
【００１１】
図２及び図３は、それぞれ図１における親機及び子機の構成を示すブロック図である。図１において、各親機30-1〜30-Nは同じ構成を持ち、各子機50-1〜50-Nも同じ構成を持つので、以下、区別する必要がある場合を除き、親機30、子機50とする。
【００１２】
図２に示すように、親機30は、この親機30全体の制御等を行う親機制御部31と、それぞれが親機制御部31に接続された内線インターフェース部32、無線インターフェース部33、音声処理部34、表示部35、操作部36、記憶部37、給電部38及び載置検出部39を備えている。音声処理部34の出力側にはアンプ部40が接続され、その出力側にはスピーカ41が接続されている。また、給電部38の出力側には、子機50に電力を供給するための端子42が設けられている。
【００１３】
内線インターフェース部32は、内線伝送路２を介して主装置１と通信を行い、無線インターフェース部33は無線回線を介して子機50と通信を行う。また、内線インターフェース部32は、データ線22を介して主装置１から供給される交流電流を整流及び安定化し、親機30内の各部に供給する。音声処理部34は、呼出音や各種報知音の発生、親機30で子機50を使用せずに通話を行う所謂スピーカホン機能の実現のための処理等を行う。表示部35はＬＣＤ等を有し、親機制御部31から送られる各種情報を表示する。操作部36は、ダイヤルキー、外線キー、フックスイッチ等の各種キーを備え、操作者がこれらのキーを用いて入力した情報を親機制御部31へ送る。記憶部37は、親機制御部31が各種処理を実行するときに使用するプログラム等が予め格納されているＲＯＭ、親機制御部31が各種処理を実行するときに各種データ等を一時的に記憶するＲＡＭ、親機のＩＤ等を記憶するＥＥＰＲＯＭ等からなる。給電部38は、子機50が親機30に載置されているときに端子42を介して子機50に電力を供給する。載置検出部39は子機30が載置されているか否かを検出し、検出信号を親機制御部31へ送る。
【００１４】
図３に示すように、無線子機50は、この子機50全体の制御等を行う無線子機制御部51と、それぞれが無線子機制御部51に接続された無線インターフェース部52、音声処理部53、状態検出部56、記憶部57、表示部58及び操作部59を備えている。また、各部に電力を供給する電池54、及び親機30から端子60を介して供給される電力により電池54を充電する充電部55を備えている。
【００１５】
無線インターフェース部52は無線回線を介して親機30と通信を行う。音声処理部53は、図示されていないスピーカーやマイクを用いた音声通話機能、各種報知音等の生成機能を有する。状態検出部56は、親機の端子42から子機の端子60へ印加される電圧の有無に基づいて、子機50のオンフック／オフフック状態を検出する。記憶部57、表示部58、操作部59は、それぞれ親機30の記憶部37、表示部35、操作部36と同様に構成されている。
【００１６】
次に、以上の構成を有する電話装置の動作について、図４及び図５を参照しながら説明する。ここで、図４は子機50を用いて通話を行うときの動作シーケンス図であり、図５は電話回線４から着信があったときの充電制御動作の一例の動作シーケンス図である。
【００１７】
図４において、最初は子機50は親機30に載置されている。この状態では、親機30の載置検出部39は子機が載置されていることを検出しており、その検出信号が親機制御部31へ送られ、親機制御部31はその検出信号を受けて、給電部38から端子42と子機50の端子60とを通して充電部55に電力を供給するように制御している。
【００１８】
子機50の使用者は親機30の載置部から子機50-1を取り上げると（操作Ｓ１）、親機30の給電部38による子機50への給電が行われなくなるので、子機50の状態検出部56では子機50が親機30から持ち上げられたことを検出する。子機50の無線子機制御部51では、状態検出部56からの出力に基づき、任意の親機から取り上げられたことを検出すると、無線インターフェース部53から無線回線を介して親機30の無線インターフェース部33と通信を行い、取り上げられたことの検出をオフフックと判断し、対をなす親機30へオフフック通知を送信する。親機30では、子機50からのオフフック通知を受信すると、親機制御部31は内線インターフェース部32から内線伝送路２経由で主装置１の内線インターフェース部13へ通知するとともに、給電部38における給電を停止する。
【００１９】
次に、子機50の使用者が操作部59を用いてダイヤル操作（操作Ｓ２）を行うと、ダイヤル信号が無線回線経由で親機30へ送られ、さらに親機30から内線インターフェース32及び内線伝送路２を経由して主装置１へ送られ、主装置１から電話回線４へダイヤル発信される。発信先の相手から応答があると、応答通知が主装置１及び親機30を経由して子機50へ送られ、子機50と発信先との間で通話が可能になる。
【００２０】
次に、子機50を用いて通話を行っていた使用者は通話を終了し、操作部59の切断キーを押した後に子機50を親機30に載置する（操作Ｓ２）。この切断キー操作は、無線子機制御部51により検出され、通話終了通知が無線インターフェース部52から無線接続により親機30に通知され、親機30から内線インターフェース部32及び内線２を経由して主装置１に通知される。主装置１の制御部11は、内線インターフェース部13から通話終了通知を受け取ると、外線インターフェース部12及び交換処理部14を制御して回線の切断を行う。また、親機30では、子機50が載置されると、載置検出部39が検出信号を発生し、親機制御部31へ通知する。子機50の無線子機制御部51では、状態検出部56からの出力信号に基づいて、任意の親機に載置されたことを検出すると、その親機から供給される電力によって充電部55が電池54の充電を開始するように充電部55を制御するとともに、無線インターフェース部52から無線回線を介して、無線子機50と対をなしている親機30の無線インターフェース部33と通信を行い、載置されたことの検出をオンフックとみなして、親機30へ通知する。親機30の親機制御部31は、この通知を受け取ると、内線インターフェース部32及び内線２を経由して主装置１へそのオンフック通知を送信するとともに、給電部38における給電を開始する。
【００２１】
次に、図５を参照しながら、電話回線４から着信があったときの充電制御動作の一例を説明する。電話回線４から外線インターフェース部12に着信があると、制御部11は外線インターフェース部12の状態から着信があったことを認識し、交換処理部14を制御して、内線伝送路２の呼出線21経由で親機30に着信音鳴動指示を送信する（ステップＳ11）。親機30では、親機制御部31が着信音鳴動指示を内線インターフェース部32経由で受け取ると、無線インターフェース部33から無線接続で子機50へ充電停止指示を送信するとともに（ステップＳ12）、音声処理部34及びアンプ部40を制御してスピーカ41から着信音が出力されるように動作させる（ステップＳ13）。なお、親機30の記憶部37には、着信音鳴動指示を受信したときに子機50に対して充電停止指示を送信することが予め書き込まれたテーブルがあり、親機制御部11はそのテーブルを参照して充電停止指示を送信する。子機50では、無線子機制御部51が充電停止指示を無線インターフェース部52経由で受け取ると、充電部55が電池54への充電を強制的に停止するように制御する（ステップＳ14）。このため、着信音の鳴動中は、親機30の給電部38の出力電圧は端子42から子機50の端子60に加わるので、状態検出部56が端子60の電圧検出を行うときに微小な電流が流れるのみで、充電部55から電池54へ充電電流は流れない。
【００２２】
次に、主装置１の制御部11は、内線伝送路２の呼出線21経由で親機30に着信音鳴動停止指示を送信する（ステップＳ15）。親機30は着信音鳴動停止指示を受け取ると、無線接続で子機50へ充電開始指示を送信するとともに（ステップＳ１６）、音声処理部34及びアンプ部40を制御してスピーカ41から着信音が出力されないように動作させる（ステップＳ１７）。子機50は充電開始指示を受信すると、充電部55が電池54への充電を開始するように制御する（ステップＳ１８）。このため、着信音が鳴動していないときは、親機30の給電部38の出力電圧は端子42から子機50の端子60に加わり、充電部55から電池54への充電が行われる。なお、着信音鳴動停止指示を主装置１から親機30へ送信するのは、例えば、着信応答したときや着信がなくなった（発呼者が発呼を中止した）ときである。
【００２３】
このように、本実施形態によれば、親機30においてアンプ部40が動作するため消費電流が予め定めた閾値を越える期間である、着信音の鳴動を行うときには、子機50の充電部55から電池54への充電は行われないので、充電電流がなくなる分だけ、親機30の消費電流が少なくなる。また、着信音の鳴動を行うときにも親機30の給電部38の出力電圧は子機50の端子60に加わるので、状態検出部56の出力より、無線子機制御部51はオンフック状態であると判断するため、外線捕捉は行われない。
【００２４】
なお、以上の実施形態では、親機の消費電流が多くなる場合として着信音鳴動時を例示したが、着信音以外の各種報知音をスピーカ41から出力する場合も同様にアンプ部40が動作し、消費電流が大きくなるので、それらの報知音を出力する場合も同様に充電停止及び開始制御を行うように制御してもよい。
また、アンプ部40の他に、表示部35が表示される期間も同様に充電停止及び開始制御を行うように制御してもよい。
【図面の簡単な説明】
【００２５】
【図１】本発明の実施形態を示すブロック図である。
【図２】図１における親機の構成を示すブロック図である。
【図３】図１における子機の構成を示すブロック図である。
【図４】子機を用いて通話を行うときの動作シーケンス図である。
【図５】着信があったときの充電制御動作の一例の動作シーケンス図である。
【符号の説明】
【００２６】
１・・・主装置、２・・・内線、3-1 〜3-N ・・・ボタン電話機、30・・・親機、50・・・無線子機。
【図１】
2005287263.tif 000003
【図２】
2005287263.tif 000004
【図３】
2005287263.tif 000005
【図４】
2005287263.tif 000006
【図５】
2005287263.tif 000007